(57)【要約】【課題】光ディスク装置において、セットされたディスクの情報が誤っている場合にも誤動作を回避できる技術の提供。【解決手段】光ディスクのＰＦＩ中のＤｉｓｃ  Ｃａｔｅｇｏｒｙ情報から、セットされた光ディスクの種別を判別し、該判別の結果、該光ディスクがＤＶＤ＋Ｒディスクであるとされるとき、記憶領域の検索を行って最終アドレスとして記憶されている値を参照し、該参照した最終アドレスが所定のものでないときは、当該記憶領域内のアドレスを新たな最終アドレスとして設定して記憶し、記憶領域検索を終了させる。【選択図】  図１
2004253067.tif 000002
【特許請求の範囲】
【請求項１】
光ディスクに記録された情報を再生する光ディスクの情報再生方法であって、
光ディスク装置内にセットされた光ディスクのＰＦＩを読み出すステップと、
該ＰＦＩ中のＤｉｓｃ  Ｃａｔｅｇｏｒｙ情報から上記光ディスクの種別を判別し、該判別の結果、該光ディスクがＤＶＤ＋Ｒディスクであるとされるとき、記憶領域の検索を行い、最終アドレスとして記憶されている値を参照するステップと、
該参照した最終アドレスが所定のものでないときは、当該記憶領域内のアドレスを新たな最終アドレスとして設定し記憶するステップと、
記憶領域の検索を終了するステップと、
を経て、上記セットされた光ディスクの情報再生を行うことを特徴とする光ディスクの情報再生方法。
【請求項２】
光ディスクに記録された情報を再生する光ディスクの情報再生方法であって、
光ディスク装置内にセットされた光ディスクに対しフォーカス制御及びトラッキング制御を行うステップと、
該光ディスクのＰＦＩを読み出すステップと、
該ＰＦＩ中のＤｉｓｃ  Ｃａｔｅｇｏｒｙ情報から上記光ディスクの種別を判別するステップと、
該判別の結果、上記光ディスクがＤＶＤ＋Ｒディスクであるとされるとき、記憶領域の検索を行い、最終アドレスとして記憶されている当該記憶領域のＰＦＩ開始アドレスから２５３ｂｙｔｅ目ないし２５５ｂｙｔｅ目までの値を参照し、該最終アドレスが０ｈか否かを判別するステップと、
該判別の結果、該最終アドレスが０ｈであるときは、当該記憶領域のＰＦＩ開始アドレスから９ｂｙｔｅ目ないし１１ｂｙｔｅ目までの値を該光ディスクの最終アドレスとして参照し記憶するステップと、
記憶領域の検索を終了するステップと、
を経て、上記セットされた光ディスクの情報再生を行うことを特徴とする光ディスクの情報再生方法。
【請求項３】
光ディスクに記録された情報を再生する光ディスクの情報再生方法であって、
光ディスク装置内にセットされた光ディスクに対しフォーカス制御及びトラッキング制御を行う第１のステップと、
該光ディスクのＰＦＩを読み出す第２のステップと、
該ＰＦＩ中のＤｉｓｃ  Ｃａｔｅｇｏｒｙ情報から上記光ディスクの種別を判別する第３のステップと、
該判別の結果、上記光ディスクがＤＶＤ＋Ｒディスクであるとされるとき、記憶領域の検索を行い、記憶領域の最終アドレスとして記憶されている当該記憶領域のＰＦＩ開始アドレスから２５３ｂｙｔｅ目ないし２５５ｂｙｔｅ目までの値を参照し、該最終アドレスが０ｈか否かを判別する第４のステップと、
該判別の結果、該最終アドレスが０ｈであるときは、当該記憶領域のＰＦＩ開始アドレスから９ｂｙｔｅ目ないし１１ｂｙｔｅ目までの値を該光ディスクの最終アドレスとして参照し記憶する第５のステップと、
記憶領域の検索を終了する第６のステップと、
上記第４のステップで記憶領域の最終アドレスが０ｈでないと判別されたときは、該記憶領域の最終アドレスを該光ディスクの最終アドレスとして記憶する第７のステップと、
該記憶した最終アドレスに基づき、次の記憶領域の開始アドレスを計算する第８のステップと、
該次の記憶領域のＰＦＩ開始アドレスにシークし、該記憶領域のＰＦＩの読み出しを行い、該記憶領域の最終アドレスを参照する第９のステップと、
最終的に記憶領域の検索を終了する第１０のステップと、
を備え、上記セットされた光ディスクの情報再生を行うことを特徴とする光ディスクの情報再生方法。
【請求項４】
光ディスクに記録された情報を再生する光ディスクの情報再生方法であって、
光ディスク装置内にセットされた光ディスクに対しフォーカス制御及びトラッキング制御を行う第１のステップと、
該光ディスクのＰＦＩを読み出す第２のステップと、
該ＰＦＩ中のＤｉｓｃ  Ｃａｔｅｇｏｒｙ情報から上記光ディスクの種別を判別する第３のステップと、
該判別の結果、上記光ディスクがＤＶＤ＋Ｒディスクであるとされるとき、記憶領域の検索を行い、当該記憶領域のＰＦＩ開始アドレスから２５３ｂｙｔｅ目ないし２５５ｂｙｔｅ目までの値を参照しこれを該記憶領域の最終アドレスとして記憶する第４のステップと、
該記憶した最終アドレスに基づき、次の記憶領域の開始アドレスを計算する第５のステップと、
該計算した開始アドレスにシークし、該次の記憶領域のＰＦＩの読み出しを行い、該記憶領域の最終アドレスを読み出す第６のステップと、
上記第６のステップにおけるシークまたはＰＦＩの読み出しができなかったとき、光ディスクの最終アドレスとして当該記憶領域のＰＦＩ開始アドレスから９ｂｙｔｅ目ないし１１ｂｙｔｅ目までの値を参照し、上記記憶領域の最終アドレスとしての上記ＰＦＩ開始アドレスから２５３ｂｙｔｅ目ないし２５５ｂｙｔｅ目までの値と比較する第７のステップと、
上記比較の結果、上記光ディスクの最終アドレスの値の方が上記記憶領域の最終アドレスの値よりも大きいときに、該光ディスクの最終アドレスを最終アドレスとして記憶して記憶領域の検索を終了する第８のステップと、
を経て、上記セットされた光ディスクの情報再生を行うことを特徴とする光ディスクの情報再生方法。
【請求項５】
光ディスクに記録された情報を再生するための光ディスクの情報再生制御用プログラムであって、
コンピュータに、
光ディスク装置内にセットされた光ディスクのＰＦＩを読み出す手順と、
該ＰＦＩ中のＤｉｓｃ  Ｃａｔｅｇｏｒｙ情報から上記光ディスクの種別を判別し、該判別の結果、該光ディスクがＤＶＤ＋Ｒディスクであるとされるとき、記憶領域の検索を行い、最終アドレスとして記憶されている値を参照する手順と、
該参照した最終アドレスが所定のものでないときは、当該記憶領域内のアドレスを新たな最終アドレスとして設定し記憶する手順と、
記憶領域の検索を終了する手順と、
を実行させ、光ディスク装置に上記セットされた光ディスクの情報再生を行わせることを特徴とする光ディスクの情報再生制御用プログラム。
【請求項６】
光ディスクに記録された情報を再生するための光ディスクの情報再生制御用プログラムであって、
コンピュータに、
光ディスク装置内にセットされた光ディスクに対しフォーカス制御及びトラッキング制御を行う手順と、
該光ディスクのＰＦＩを読み出す手順と、
該ＰＦＩ中のＤｉｓｃ  Ｃａｔｅｇｏｒｙ情報から上記光ディスクの種別を判別する手順と、
該判別の結果、上記光ディスクがＤＶＤ＋Ｒディスクであるとされるとき、記憶領域の検索を行い、最終アドレスとして記憶されている当該記憶領域のＰＦＩ開始アドレスから２５３ｂｙｔｅ目ないし２５５ｂｙｔｅ目までの値を参照し、該最終アドレスが０ｈか否かを判別する手順と、
該判別の結果、該最終アドレスが０ｈであるときは、当該記憶領域のＰＦＩ開始アドレスから９ｂｙｔｅ目ないし１１ｂｙｔｅ目までの値を該光ディスクの最終アドレスとして参照し記憶する手順と、
記憶領域の検索を終了する手順と、
を実行させ、光ディスク装置に上記セットされた光ディスクの情報再生を行わせることを特徴とする光ディスクの情報再生制御用プログラム。
【請求項７】
光ディスクに記録された情報を再生するための光ディスクの情報再生制御用プログラムであって、
コンピュータに、
光ディスク装置内にセットされた光ディスクに対しフォーカス制御及びトラッキング制御を行う第１の手順と、
該光ディスクのＰＦＩを読み出す第２の手順と、
該ＰＦＩ中のＤｉｓｃ  Ｃａｔｅｇｏｒｙ情報から上記光ディスクの種別を判別する第３の手順と、
該判別の結果、上記ディスクがＤＶＤ＋Ｒディスクであるとされるとき、記憶領域の検索を行い、当該記憶領域のＰＦＩ開始アドレスから２５３ｂｙｔｅ目ないし２５５ｂｙｔｅ目までの値を参照しこれを該記憶領域の最終アドレスとして記憶する第４の手順と、
該記憶した最終アドレスに基づき、次の記憶領域の開始アドレスを計算する第５の手順と、
該次の記憶領域のＰＦＩ開始アドレスにシークし、該次の記憶領域のＰＦＩの読み出しを行い、該記憶領域の最終アドレスを読み出す第６の手順と、
上記第６のステップにおけるシークまたはＰＦＩの読み出しができなかったとき、当該記憶領域のＰＦＩ開始アドレスから９ｂｙｔｅ目ないし１１ｂｙｔｅ目までの値を上記光ディスクの最終アドレスとして参照し、上記記憶領域の最終アドレスとしての当該記憶領域のＰＦＩ開始アドレスから２５３ｂｙｔｅ目ないし２５５ｂｙｔｅ目までの値と比較する第７の手順と、
上記比較の結果、上記光ディスクの最終アドレスの値の方が上記記憶領域の最終アドレスの値よりも大きいとき、該光ディスクの最終アドレスを最終アドレスとして記憶し記憶領域の検索を終了する第８の手順と、
を実行させ、光ディスク装置に上記セットされた光ディスクの情報再生を行わせることを特徴とする光ディスクの情報再生制御用プログラム。
【請求項８】
セットされた光ディスクに対し情報の記録、再生のいずれか一方または両方を行う光ディスク装置であって、
上記光ディスクの記録情報を読み出す光ピックアップと、
上記読み出された情報に基づき再生信号の処理を行う信号処理部と、
上記再生信号に基づき、光ディスク装置内にセットされた光ディスクのＰＦＩを読み出し、該ＰＦＩ中のＤｉｓｃ  Ｃａｔｅｇｏｒｙ情報から上記光ディスクの種別を判別し、該判別の結果、該光ディスクがＤＶＤ＋Ｒディスクであるとされるとき、記憶領域の検索を行って最終アドレスとして記憶されている値を参照し、該参照した最終アドレスが所定のものでないときは、当該記憶領域内のアドレスを新たな最終アドレスとして設定して記憶させる制御部と、
を備えたことを特徴とする光ディスク装置。
【請求項９】
セットされた光ディスクに対し情報の記録、再生のいずれか一方または両方を行う光ディスク装置であって、
上記光ディスクの記録情報を読み出す光ピックアップと、
上記読み出された情報に基づき再生信号の処理を行う信号処理部と、
上記再生信号に基づきフォーカス制御用信号及びトラッキング制御用信号を形成するとともに、再生時に、上記光ディスクのＰＦＩ中のＤｉｓｃ  Ｃａｔｅｇｏｒｙ情報から該光ディスクの種別を判別し、該判別の結果、上記光ディスクがＤＶＤ＋Ｒディスクとされるときは、該光ディスクの記録領域の最終アドレスとして記憶されている当該記憶領域のＰＦＩ開始アドレスから２５３ｂｙｔｅ目ないし２５５ｂｙｔｅ目までの値を参照し、該最終アドレスが０ｈか否かを判別し、該判別の結果、該最終アドレスが０ｈであるときは、当該記憶領域のＰＦＩ開始アドレスから９ｂｙｔｅ目ないし１１ｂｙｔｅ目までの値を該光ディスクの最終アドレスとして参照し記憶させる制御部と、
を備え、光ディスクに記録された最終アドレスの正常・異常の判定を記録領域の検索時に行い、異常と判定された場合、検索を終了させ、その後の不要な検索を行わない構成としたことを特徴とする光ディスク装置。
【請求項１０】
セットされた光ディスクに対し情報の記録、再生のいずれか一方または両方を行う光ディスク装置であって、
上記光ディスクの記録情報を読み出す光ピックアップと、
上記読み出された情報に基づき再生信号の処理を行う信号処理部と、
上記再生信号に基づきフォーカス制御用信号及びトラッキング制御用信号を形成する手段と、再生時に、上記光ディスクのＰＦＩ中のＤｉｓｃ  Ｃａｔｅｇｏｒｙ情報から該光ディスクの種別を判別する手段と、判別の結果、上記光ディスクがＤＶＤ＋Ｒディスクであるとされるとき、当該記憶領域のＰＦＩ開始アドレスから２５３ｂｙｔｅ目ないし２５５ｂｙｔｅ目までの値を参照しこれを該光ディスクの記憶領域の最終アドレスとして記憶させる手段と、該記憶させた最終アドレスに基づき、次の記憶領域の開始アドレスを計算する手段と、該計算した開始アドレスにシークし、該次の記憶領域のＰＦＩの読み出しを行い、該シークまたはＰＦＩの読み出しができなかったとき、該光ディスクの最終アドレスとしての当該記憶領域のＰＦＩ開始アドレスから９ｂｙｔｅ目ないし１１ｂｙｔｅ目までの値を参照し、上記記憶領域の最終アドレスとしての当該記憶領域のＰＦＩ開始アドレスから２５３ｂｙｔｅ目ないし２５５ｂｙｔｅ目までの値と比較する手段と、該比較の結果、上記光ディスクの最終アドレスの値の方が上記記憶領域の最終アドレスの値よりも大きいときに、該光ディスクの最終アドレスを最終アドレスとして記憶して記憶領域の検索を終了させる手段とを有して成る制御部と、
を備え、光ディスクに記録された最終アドレスの正常・異常の判定を記録領域の検索時に行い、異常と判定された場合、検索を終了させ、その後の不要な検索を行わない構成としたことを特徴とする光ディスク装置。
【発明の詳細な説明】
【０００１】
【発明の属する技術分野】
本発明は、光ディスク装置の再生動作時における記録領域検索（セッションサーチ）の技術に関する。
【０００２】
【従来の技術】
従来の記録領域検索技術例を図４、図５に示す。
従来の光ディスク装置に例えばＤＶＤ＋Ｒディスクがセットされた場合（ステップＳ４０１）、フォーカスサーボやトラッキングサーボがかけられ、かつ、最適状態で再生動作が行われるようにするために、各種パラメータの調整がされる（ステップＳ４０２）。その後、ディスク自体の固有情報であるＰＦＩ（Ｐｈｙｓｉｃａｌ  Ｆｏｒｍａｔ  Ｉｎｆｏｒｍａｔｉｏｎ）の開始アドレスにシークし（ステップＳ４０３）、該ＰＦＩの読み出しを実行し（ステップＳ４０４）、該ＰＦＩ中のＤｉｓｃ  Ｃａｔｅｇｏｒｙの値を参照することでディスクの種別を判別する（ステップＳ４０５）。Ｄｉｓｃ  Ｃａｔｅｇｏｒｙの値がＡｈの場合にＤＶＤ＋Ｒが判別され（ステップＳ４１６）、記憶領域を検索する処理（マルチセッションサーチ）が実行される（ステップＳ４１７）。該記憶領域検索処理では、ＰＦＩ開始アドレスから２５３ｂｙｔｅ目ないし２５５ｂｙｔｅ目までの値を当該記憶領域（セッション）の最終アドレスとして参照し（ステップＳ５０１）、それを該セットされたディスクの最終アドレスとして記憶する（ステップＳ５０２）。次に、該最終アドレスから次の記憶領域の開始アドレスを計算し（ステップＳ５０３）、該次の記憶領域のＰＦＩ開始アドレスにシークし（ステップＳ５０４）、その記憶領域のＰＦＩの読み出しを行う（ステップＳ５０６）。さらに、該読み出したＰＦＩに基づき最終アドレスを求め、それを基に次の記憶領域に移動する。このＰＦＩの読み出し、最終アドレスの参照・記憶、次の記憶領域の開始アドレスの算定、該開始アドレスへのシークという一連の検索動作を複数の記憶領域について繰返す。
【０００３】
上記セットされたＤＶＤ＋Ｒディスクが規格違反のディスクであって、上記記憶された最終アドレスが例えば０ｈの場合は、上記一連の動作中において、シークの失敗またはＰＦＩ読み出しの失敗となり、検索動作は終了するが、最終アドレスとして０ｈが記憶されているため、ディスク容量が０と判定され、ホストコンピュータが指定するアドレスに対して、ディスクの記録範囲を超えているという判断に基づく応答をすることになる。
【０００４】
また、本発明に関連する従来技術で特許文献に記載された技術としては、特開２００２−５００４０号公報（特許文献１）に記載されたものがある。該公報には、光ディスクを種別によらずに判別する技術として、ディスク自体の物理特性から、ＣＤ、ＤＶＤの切り分けを行い、再生可能な状態になったとき、ＰＦＩを読み出し、その中のＢｏｏｋ  Ｔｙｐｅ（Ｄｉｓｃ  Ｃａｔｅｇｏｒｙ）情報を読み出してディスクの種別を判別する技術が記載されている。
【０００５】
【特許文献１】
特開２００２−５００４０号公報
【０００６】
【発明が解決しようとする課題】
上記図４、図５に示す従来技術においては、光ディスク装置にセットされた光ディスクの情報が誤っている場合、該光ディスク装置が該誤った情報に基づく記録領域検索を行い、エラー応答等の誤動作を行う結果、光ディスクの再生動作が不可能となる。また、特開２００２−５００４０号公報には、ディスク判別後におけるＤＶＤ＋Ｒディスク用記憶領域検索時の最終アドレスの取扱いについての技術の記載はない。
本発明の課題点は、上記従来技術の状況に鑑み、光ディスク装置において、セットされたディスクの情報が誤っている場合にも誤動作をしないようにすることである。
本発明の目的は、かかる課題点を解決できる技術の提供にある。
【０００７】
【課題を解決するための手段】
上記課題点を解決するために、本発明では、基本的に、光ディスク装置において、
（１）光ディスクのＰＦＩ（Ｐｈｙｓｉｃａｌ  Ｆｏｒｍａｔ  Ｉｎｆｏｒｍａｔｉｏｎ）中のＤｉｓｃ  Ｃａｔｅｇｏｒｙ情報から、セットされた光ディスクの種別を判別し、該判別の結果、該光ディスクがＤＶＤ＋Ｒディスクであるとされるとき、記憶領域の検索（セッションサーチ）を行って最終アドレスとして記憶されている値を参照し、該参照した最終アドレスが所定のものでないときは、当該記憶領域内のアドレスを新たな最終アドレスとして設定して記憶し記憶領域検索（セッションサーチ）を終了させるようにする。
（２）光ディスクのＰＦＩ中のＤｉｓｃ  Ｃａｔｅｇｏｒｙ情報から、セットされた光ディスクの種別を判別し、判別の結果がＤＶＤ＋Ｒディスクであるとき、記憶領域（セッション）の検索（サーチ）を行い、最終アドレスとして記憶されている当該記憶領域のＰＦＩ開始アドレスから２５３ｂｙｔｅ目ないし２５５ｂｙｔｅ目までの値を参照し該最終アドレスが０ｈか否かを判別し、該最終アドレスが０ｈであるときは、当該記憶領域のＰＦＩ開始アドレスから９ｂｙｔｅ目ないし１１ｂｙｔｅ目までの値を該光ディスクの最終アドレスとして参照して記憶し記憶領域検索（セッションサーチ）を終了させるようにする。
（３）光ディスクのＰＦＩ中のＤｉｓｃ  Ｃａｔｅｇｏｒｙ情報から、セットされた光ディスクの種別を判別し、判別の結果がＤＶＤ＋Ｒディスクであるとき、当該記憶領域のＰＦＩ開始アドレスから２５３ｂｙｔｅ目ないし２５５ｂｙｔｅ目までの値を参照しこれを該光ディスクの記憶領域（セッション）の最終アドレスとして記憶させ、該記憶させた最終アドレスに基づき、次の記憶領域（セッション）の開始アドレスを計算し、該開始アドレスにシークして該次の記憶領域（セッション）のＰＦＩの読み出しを行い、該シークまたはＰＦＩの読み出しができなかったとき、該光ディスクの最終アドレスとしての当該記憶領域のＰＦＩ開始アドレスから９ｂｙｔｅ目ないし１１ｂｙｔｅ目までの値を参照し、上記記憶領域（セッション）の最終アドレスとしての上記ＰＦＩ開始アドレスから２５３ｂｙｔｅ目ないし２５５ｂｙｔｅ目までの値と比較し、該比較の結果、上記光ディスクの最終アドレスの値の方が上記記憶領域（セッション）の最終アドレスの値よりも大きいときに、該光ディスクの最終アドレスを最終アドレスとして記憶し記憶領域の検索（セッションサーチ）を終了させるようにする。
【０００８】
【発明の実施の形態】
以下、本発明の実施例につき、図面を用いて説明する。実施例では、記録されている情報がＤＶＤ＋Ｒディスクとなっているディスクの場合につき述べる。
図１は、本発明の実施例としての光ディスク装置の構成例を示す図である。
図１において、１は光ディスク、２は、光ディスク１に対しレーザー光を照射し、該光ディスクに情報を記録したり、記録された情報を読み出したりする光ピックアップ、３は、上記読み出された情報に基づき再生信号の処理を行う信号処理部、４は装置全体の制御を行うマイコン、５は、マイコン４により制御され、信号処理部３からの再生信号に基づき映像信号やトラッキング制御用信号やフォーカス制御用信号やモータ制御用信号などを形成するとともに、記録領域の検索処理や記録信号の形成を行うデジタル信号プロセッサ、６は、デジタル信号プロセッサ５内にあってデジタル化された再生信号をデコード処理するデコード部、７は、同じくデジタル信号プロセッサ５内にあってトラッキング制御用信号やフォーカス制御用信号やモータ制御用信号などを形成するサーボ部、８は、ホストコンピュータ等外部機器との接続部を構成するインターフェース部、９は、光ディスク駆動用のディスクモータや、光ピックアップ２内のアクチュエータ（図示なし）や、光ピックアップ２内のレーザーダイオード（図示なし）や、光ピックアップ２移動用のスレッドモータなどをそれぞれ駆動する駆動部、１０は光ディスク１を所定速度で回転させるディスクモータ、１１は光ピックアップ２を光ディスク１の半径方向に移動させるスレッドモータである。本構成においては、マイコン４とデジタル信号プロセッサ５が制御部を形成している。本構成例では、該制御部はメモリ等の記憶部を内部に含むものとする。
【０００９】
上記構成において、情報の再生時には、光ピックアップ２により光ディスク１の記録情報が読み出され、該読み出された情報（再生信号）が信号処理部３に入力され再生信号処理が行われる。マイコン４とデジタル信号プロセッサ５とから成る制御部が第１の構成をとるとき、該制御部は、上記再生信号に基づきフォーカス制御用信号及びトラッキング制御用信号を形成するとともに、光ディスク１のＰＦＩ中のＤｉｓｃ  Ｃａｔｅｇｏｒｙ情報から該光ディスク１の種別を判別し、該判別の結果、該光ディスク１がＤＶＤ＋Ｒディスクとされるときは、該光ディスク１の記録領域の最終アドレスとして記憶部に記憶されている当該記憶領域のＰＦＩ開始アドレスから２５３ｂｙｔｅ目ないし２５５ｂｙｔｅ目までの値を参照し、該最終アドレスが０ｈか否かを判別し、該判別の結果、該最終アドレスが０ｈであるときは、当該記憶領域のＰＦＩ開始アドレスから９ｂｙｔｅ目ないし１１ｂｙｔｅ目までの値を該光ディスクの最終アドレスとして参照し記憶部に記憶させる。これにより、光ディスク１に記録された最終アドレスの正常・異常の判定を記録領域検索時（セッションサーチ時）に行い、異常と判定された場合、検索を終了させ、不要な検索を行わないようにする。また、マイコン４とデジタル信号プロセッサ５とから成る制御部が第２の構成をとるとき、該制御部は、上記再生信号に基づきフォーカス制御用信号及びトラッキング制御用信号を形成するとともに、光ディスク１のＰＦＩ中のＤｉｓｃ  Ｃａｔｅｇｏｒｙ情報から該光ディスク１の種別を判別し、該判別の結果、該光ディスク１がＤＶＤ＋Ｒディスクとされるときは、該光ディスク１の記録領域の最終アドレスとして記憶部に記憶されているＰＦＩ開始アドレスから２５３ｂｙｔｅ目ないし２５５ｂｙｔｅ目までの値を参照し、これを該光ディスク１の記憶領域の最終アドレスとして記憶させる。
さらに、該記憶させた最終アドレスに基づき、次の記憶領域の開始アドレスを計算し、該計算した開始アドレスにシークして該次の記憶領域のＰＦＩの読み出しを行う。そして、該シークまたはＰＦＩの読み出しができなかったときは、該光ディスクの最終アドレスとしてのＰＦＩ開始アドレスから９ｂｙｔｅ目ないし１１ｂｙｔｅ目までの値を参照し、上記記憶領域の最終アドレスとしての  ＰＦＩ開始アドレスから２５３ｂｙｔｅ目ないし２５５ｂｙｔｅ目までの値と比較し、該比較の結果、該光ディスク１の最終アドレスの値の方が上記記憶領域の最終アドレスの値よりも大きいときに、該光ディスク１の最終アドレスを最終アドレスとして記憶して記憶領域の検索を終了させる。
【００１０】
図２は、上記図１の光ディスク装置における制御部が上記第１の構成をとる場合の光ディスクの記憶領域検索処理の手順例を示す図である。本処理例は、記録されている情報がＤＶＤ＋Ｒディスクとなっているディスクについての処理例であって、ＰＦＩの読み出し後に、最終アドレスが正常か否かを判定する場合の例である。
図２において、
（１）記憶領域（セッション）の最終アドレスとしての、当該記憶領域のＰＦＩ開始アドレスから２５３ｂｙｔｅ目ないし２５５ｂｙｔｅ目までの値を参照する（ステップＳ２０１）。
（２）上記最終アドレスが０ｈか否かを判別する（ステップＳ２０２）。
（３）上記判別の結果、最終アドレスが０ｈの場合は、当該記憶領域のＰＦＩ開始アドレスから９ｂｙｔｅ目ないし１１ｂｙｔｅ目までの値を該光ディスクの最終アドレスとして参照する（ステップＳ２０３）。
（４）上記参照した光ディスクの最終アドレスを記憶部に記憶し（ステップＳ２０４）、記憶領域の検索（セッションサーチ）を終了させる（ステップＳ２０５）。
（５）上記（２）（ステップＳ２０２）において、上記最終アドレスが０ｈでない場合は、上記参照した上記記憶領域（セッション）の最終アドレスとしての当該記憶領域のＰＦＩ開始アドレスから２５３ｂｙｔｅ目ないし２５５ｂｙｔｅ目までの値を該光ディスクの最終アドレスとして記憶する（ステップＳ２０６）。
（６）該記憶した最終アドレスに基づき、次の記憶領域の開始アドレスを計算する（ステップＳ２０７）。
（７）次の記憶領域のＰＦＩ開始アドレスにシークする（ステップＳ２０８）。
（８）シークが成功したか否かを判別する（ステップＳ２０９）。
（９）成功した場合は、該記憶領域のＰＦＩの読み出しを行う（ステップＳ２１０）。
（１０）上記ＰＦＩの読み出しが成功したか否かを判別する（ステップＳ２１１）。
（１１）成功した場合は、上記（１）（ステップＳ２０１）に戻る。
（１２）上記（７）（ステップＳ２０８）の判別でシークが成功しなかった場合または上記（１０）（ステップＳ２１１）の判別で上記ＰＦＩの読み出しが成功しなかった場合は、リトライオーバーか否かを判別する（ステップＳ２１２）。
（１３）リトライオーバーの場合は、記憶領域の検索（セッションサーチ）を終了させる（ステップＳ２１３）。リトライオーバーでない場合は、上記（７）（ステップＳ２０８）に戻る。
【００１１】
図３は、上記図１の光ディスク装置における制御部が上記第２の構成をとる場合の光ディスクの記憶領域検索処理の手順例を示す図である。本処理例も、記録されている情報がＤＶＤ＋Ｒディスクとなっているディスクについての処理例であって、シーク失敗、ＰＦＩの読み出し失敗後に、最終アドレスが正常か否かを判定する場合の例である。
図３において、
（１）記憶領域（セッション）の最終アドレスとしての当該記憶領域のＰＦＩ開始アドレスから２５３ｂｙｔｅ目ないし２５５ｂｙｔｅ目までの値を参照する（ステップＳ３０１）。
（２）上記参照した最終アドレスを該光ディスクの最終アドレスとして記憶する（ステップＳ３０２）。
（３）該記憶した最終アドレスに基づき、次の記憶領域の開始アドレスを計算する（ステップＳ３０３）。
（４）上記次の記憶領域のＰＦＩ開始アドレスにシークする（ステップＳ３０４）。
（５）シークが成功したか否かを判別する（ステップＳ３０５）。
（６）成功した場合は、該記憶領域のＰＦＩの読み出しを行う（ステップＳ３０６）。
（７）上記ＰＦＩの読み出しが成功したか否かを判別する（ステップＳ３０７）。
（８）成功した場合は、上記（１）（ステップＳ３０１）に戻る。
（９）上記（５）（ステップＳ３０５）の判別でシークが成功しなかった場合または上記（７）（ステップＳ３０７）の判別で上記ＰＦＩの読み出しが成功しなかった場合は、リトライオーバーか否かを判別する（ステップＳ３０８）。
（１０）リトライオーバーの場合は、記憶領域の最終アドレスとしての当該記憶領域のＰＦＩ開始アドレスから９ｂｙｔｅ目ないし１１ｂｙｔｅ目までの値を該光ディスクの最終アドレスとして参照する（ステップＳ３０９）。
（１１）光ディスクの最終アドレスの値と記憶領域の最終アドレスの値とを比較する（ステップＳ３１０）。
（１２）該比較の結果、光ディスクの最終アドレスの値が記憶領域の最終アドレスの値よりも大きい場合は、光ディスクの最終アドレスを該光ディスクの最終アドレスとして記憶部に記憶させ（ステップＳ３１１）、記憶領域の検索（セッションサーチ）を終了させる（ステップＳ３１２）。
【００１２】
上記実施例によれば、光ディスク装置において、セットされたディスクの情報が誤っている場合にも誤動作をしないようにすることが可能となる。また、記憶領域の不要な検索をなくすことが可能となる。例えば、ＤＶＤ＋Ｒディスクでかつ記憶領域の最終アドレスが不正値であるような規格違反ディスクや、ＤＶＤ＋Ｒディスク以外のディスクであるにもかかわらず、ＤＶＤ＋Ｒディスクであると記録され、かつ記憶領域の最終アドレスが不正値であるような規格違反ディスクに対し有効である。
【００１３】
【発明の効果】
本発明によれば、光ディスク装置において、セットされたディスクの情報が規格に定められた値と異なる場合でも、再生不能状態となることを回避できる。
【図面の簡単な説明】
【図１】本発明の実施例としての光ディスク装置の構成例を示す図である。
【図２】本発明における光ディスクの記憶領域検索処理の例を示す図である。
【図３】本発明における光ディスクの記憶領域検索処理の他の例を示す図である。
【図４】光ディスクの従来の記憶領域検索処理の説明図である。
【図５】ＤＶＤ＋Ｒディスクの従来の記憶領域検索処理の説明図である。
【符号の説明】
１…光ディスク、  ２…光ピックアップ、  ３…信号処理部、  ４…マイコン、  ５…デジタル信号プロセッサ、  ６…デコード部、  ７…サーボ部、  ８…インターフェース部、  ９…駆動部、  １０…ディスクモータ、  １１…スレッドモータ。
【図１】
2004253067.tif 000003
【図２】
2004253067.tif 000004
【図３】
2004253067.tif 000005
【図４】
2004253067.tif 000006
【図５】
2004253067.tif 000007